(57)【要約】【課題】  共通部品をできる限り多くすることにより、在庫管理面及びコスト面において有利にしながらも、スクリーンを収納ケースから容易に取り外すことができる映写スクリーンを提供する点にある。【解決手段】  映写用のスクリーン１を巻き取るための巻取ロール４を収納ケース２に回転自在に設け、前記収納ケース２が、前記巻取ロール４を回転自在に支持するケース本体８と、このケース本体８に解除自在に連結されて該ケース本体８の前方を覆うためのカバー部材９とからなり、前記ケース本体８に前記巻取ロール４の両端の支軸４Ａをそれぞれ保持するブラケット２２，２２のうちの少なくとも一方を着脱自在に設け、前記ブラケット２２をそれの前端部側ほど下方に位置する傾斜姿勢で前記ケース本体８に設けた。【選択図】        図３
2005091762.tif 000002
【特許請求の範囲】
【請求項１】
映写用のスクリーンを巻き取るための巻取ロールを収納ケースに回転自在に設け、前記収納ケースが、前記巻取ロールを回転自在に支持するケース本体と、このケース本体に解除自在に連結されて該ケース本体の前方を覆うためのカバー部材とからなり、前記ケース本体に前記巻取ロールの両端の支軸をそれぞれ保持するブラケットのうちの少なくとも一方を着脱自在に設け、前記ブラケットをそれの前端部側ほど下方に位置する傾斜姿勢で前記ケース本体に設けたことを特徴とする映写スクリーン。
【請求項２】
前記ケース本体の前端に後方側ほど上方に位置する円弧状の凹部を形成し、この凹部に係止する上向きでほぼ半円弧状の係止部を前記カバー部材の上方後端部に備えさせ、前記凹部を前記ケース本体の前端に前方に突出する上下一対の突出片から形成し、それら上下一対の突出片のうちの下側の突出片にて前記カバー部材の上方側で後方側部分を下方から受け止め支持可能となるように該突出片を前方に延出した延出部に構成してなる請求項１記載の映写スクリーン。
【請求項３】
前記ブラケットが、前記支軸を保持する板状のブラケット本体と、このブラケット本体の後端部をほぼ９０度折り曲げて前記ケース本体に固定するためのフランジ部とからなり、前記フランジ部を固定するための前記ケース本体の固定面が上側ほど前方に位置する前倒れ傾斜面に構成してなる請求項１記載の映写スクリーン。
【請求項４】
前記ケース本体に前記フランジ部を前記巻取ロールの回転軸芯方向でスライド自在に係止保持するための上下一対の係止保持部を設け、前記係止保持部にて前記フランジ部を係止保持させた状態で該フランジ部に形成の貫通孔を貫通させた螺子体の先端を前記固定面よりも後方へ逃がすと共に該先端に螺合させるためのナットを収納可能とするための凹部を前記ケース本体に形成してなる請求項３に記載の映写スクリーン。
【請求項５】
前記収納ケースの両端のそれぞれに、端部開口部を覆うためのキャップを前記ケース本体に固定してなる請求項１〜４のいずれかに記載の映写スクリーン。
【請求項６】
前記収納ケースを躯体に取り付けるための固定部材の複数を設け、前記固定部材を、躯体である壁面からほぼ水平方向前方に延びる水平部とこの水平部の基端部から壁面とほぼ平行な状態で下方に延びる上下部とからなるほぼ逆Ｌ字形状からなり、前記収納ケースを、前記巻取ロールを回転自在に取り付け支持すると共に前記固定部材とほぼ同一形状のほぼ逆Ｌ字形状のケース本体と、このケース本体の前方を覆うためのカバー部材とから構成し、前記ケース本体の前端に後方側ほど上方に位置する円弧状の凹部を形成し、この凹部に係止する上向きでほぼ半円弧状の係止部を前記カバー部材の上方後端部に備えさせ、前記収納ケースを躯体である壁面と天井面とに跨った状態で取り付けた場合に、前記カバー部材を上方へ揺動操作したときに係止部が前記凹部から係止解除可能となる位置まで該カバー部材を上方へ揺動操作可能となるように前記固定部材の水平部の上下寸法を設定してなる請求項１に記載の映写スクリーン。
【発明の詳細な説明】
【技術分野】
【０００１】
本発明は、壁面や天井面などの躯体に取り付けられた収納ケースから収納姿勢の映写用のスクリーンを下方へ引き出して使用姿勢に姿勢変更することができる映写スクリーンに関する。
【背景技術】
【０００２】
上記映写スクリーンの収納ケースは、巻取ロールに巻き取られたスクリーンを収納することができると共にその巻取ロールがスムーズに回転することができるように少し大きめな筒状体から構成され、その収納ケースの下端には、巻き取り収納されているスクリーンがスムーズに通過することができるように前後方向にある程度幅を有する左右方向に長い開口が形成されている。（例えば、特許文献１参照。）。
【特許文献１】特開平８−６１６１号公報
【発明の開示】
【発明が解決しようとする課題】
【０００３】
上記映写スクリーンには、縦横サイズが異なるものがあるため、それらサイズに合わせて巻取ロールの長さや直径が変更されるだけでなく、巻取ロールの巻取量も変わってくる。そのため、巻取ロールに巻き取られたスクリーンの大きさに合わせたケースを製作しなければならず、在庫管理面及びコスト面において不利になっていた。
又、例えば輝度の高いスクリーンに変更したり、映し出される色合いを変更したい場合やスクリーンのメンテナンスを行う場合に、収納ケースからスクリーンを容易に取り外すことができないものであり、改善の余地があった。
【０００４】
本発明が前述の状況に鑑み、解決しようとするところは、共通部品をできる限り多くすることにより、在庫管理面及びコスト面において有利にしながらも、スクリーンを収納ケースから容易に取り外すことができる映写スクリーンを提供する点にある。
【課題を解決するための手段】
【０００５】
本発明は、前述の課題解決のために、映写用のスクリーンを巻き取るための巻取ロールを収納ケースに回転自在に設け、前記収納ケースが、前記巻取ロールを回転自在に支持するケース本体と、このケース本体に解除自在に連結されて該ケース本体の前方を覆うためのカバー部材とからなり、前記ケース本体に前記巻取ロールの両端の支軸をそれぞれ保持するブラケットのうちの少なくとも一方を着脱自在に設け、前記ブラケットをそれの前端部側ほど下方に位置する傾斜姿勢で前記ケース本体に設けて、映写スクリーンを構成した。
又、前記ケース本体の前端に後方側ほど上方に位置する円弧状の凹部を形成し、この凹部に係止する上向きでほぼ半円弧状の係止部を前記カバー部材の上方後端部に備えさせ、前記凹部を前記ケース本体の前端に前方に突出する上下一対の突出片から形成し、それら上下一対の突出片のうちの下側の突出片にて前記カバー部材の上方側で後方側部分を下方から受け止め支持可能となるように該突出片を前方に延出した延出部に構成している。
又、前記ブラケットが、前記支軸を保持する板状のブラケット本体と、このブラケット本体の後端部をほぼ９０度折り曲げて前記ケース本体に固定するためのフランジ部とからなり、前記フランジ部を固定するための前記ケース本体の固定面が上側ほど前方に位置する前倒れ傾斜面に構成している。
又、前記ケース本体に前記フランジ部を前記巻取ロールの回転軸芯方向でスライド自在に係止保持するための上下一対の係止保持部を設け、前記係止保持部にて前記フランジ部を係止保持させた状態で該フランジ部に形成の貫通孔を貫通させた螺子体の先端を前記固定面よりも後方へ逃がすと共に該先端に螺合させるためのナットを収納可能とするための凹部を前記ケース本体に形成している。
又、前記収納ケースの両端のそれぞれに、端部開口部を覆うためのキャップを前記ケース本体に固定している。
又、前記収納ケースを躯体に取り付けるための固定部材の複数を設け、前記固定部材を、躯体である壁面からほぼ水平方向前方に延びる水平部とこの水平部の基端部から壁面とほぼ平行な状態で下方に延びる上下部とからなるほぼ逆Ｌ字形状からなり、前記収納ケースを、前記巻取ロールを回転自在に取り付け支持すると共に前記固定部材とほぼ同一形状のほぼ逆Ｌ字形状のケース本体と、このケース本体の前方を覆うためのカバー部材とから構成し、前記ケース本体の前端に後方側ほど上方に位置する円弧状の凹部を形成し、この凹部に係止する上向きでほぼ半円弧状の係止部を前記カバー部材の上方後端部に備えさせ、前記収納ケースを躯体である壁面と天井面とに跨った状態で取り付けた場合に、前記カバー部材を上方へ揺動操作したときに係止部が前記凹部から係止解除可能となる位置まで該カバー部材を上方へ揺動操作可能となるように前記固定部材の水平部の上下寸法を設定している。
【発明の効果】
【０００６】
巻取ロールの両端の支軸を保持するブラケットをそれの前端部側ほど下方に位置する傾斜姿勢でケース本体に設けることによって、巻取ロールの回転軸芯を下方に下げることができるから、巻取ロールの直径が大きくなったとしても、ケース本体に取り付けられた巻取ロールに巻き取られているスクリーンの上端位置が高くなることを抑制することができ、大きさの異なるカバー部材に変更するだけで、映写スクリーンを構成することができ、部材の兼用化による映写スクリーンの在庫管理面及びコスト面において有利にすることができる。又、ブラケットをケース本体から取り外すことができる構成にしているから、巻取ロールに対するメンテナンスやケース本体内のメンテナンスを容易に行うことができるだけでなく、別のスクリーンが巻き付けられた巻取ロールに取り替えることを容易に行うことができ、販売力のある商品に構成することができる。又、収納ケースをケース本体とカバー部材の２つの部材から構成しているから、一方が破損した場合に一方のみ取り替えれば済み、全体を変えるよりもコスト面において有利になる。
【０００７】
ケース本体の凹部にカバー部材の係止部を係止させるだけで、ケース本体にカバー部材を係止保持させることができるだけでなく、凹部を形成する下側の突出片にてカバー部材の上方側で後方側部分を下方から確実に受け止めてカバー部材がケース本体から外れてしまうことを確実に阻止することができ、係止にてカバー部材をケース本体に容易に保持させることができるものでありながら、外れることが少ない信頼性の高い収納ケースとすることができる。
【０００８】
ブラケットのフランジ部をケース本体の前倒れ傾斜面に構成された固定面に固定するだけで所定の角度にブラケット本体を傾斜姿勢にすることができ、組み立て作業面において有利になる。
【０００９】
ケース本体に対して上下一対の係止保持部にてブラケットのフランジ部がスライド自在に係止保持することによって、ケース本体に対するブラケットの取付位置を変更することができ、製造面において有利になる。又、係止保持部にてフランジ部を係止保持させた状態でフランジ部に形成の貫通孔を貫通させた螺子体の先端を固定面よりも後方へ逃がすと共に先端に螺合させるためのナットを収納可能とするための凹部を前記ケース本体に形成しているから、螺子体やナットがケース本体の外部へ突出することがなく、他物との接当により螺子体が緩んだり、破損することがなく、商品価値の高いものにすることができる。
【００１０】
収納ケースの両端のそれぞれに、端部開口部を覆うためのキャップをケース本体に固定することによって、キャップを取り外さなくても、カバー部材をケース本体から取り外すことが可能になり、取扱面において有利になる。
【００１１】
固定部材とケース本体をほぼ逆Ｌ字形状のものから構成することによって、平板形状のものに比べて強度面において有利になる。又、固定部材の水平部の上下寸法を設定収納ケースを躯体である壁面と天井面とに跨った状態で取り付けた場合に、カバー部材を上方へ揺動操作したときに係止部が凹部から係止解除可能となる位置までカバー部材を上方へ揺動操作可能となるように固定部材の水平部の上下寸法を設定することによって、収納ケースを固定部材から一々取り外さなくても、カバー部材をケース本体から取り外すことができ、別のスクリーンが巻き付けられた巻取ロールの交換などの作業をより一層迅速に行うことができる。
【発明を実施するための最良の形態】
【００１２】
図１に、躯体側へ固定して使用することができる映写用のスクリーン１（図３参照）が収納された収納ケース２を示している。前記収納ケース２は、それの後側に左右方向にスライド自在に備えられた複数の固定部材３，３を介して壁面又は天井面に固定することができる映写スクリーンとして構成されているが、図２及び図３に示すように、天井面Ｔと壁面Ｈとに跨る角部に取り付けて実施することができる。尚、前記壁や天井を躯体と称する他、柱など地震又はその他の振動や衝撃を支えるものを躯体と称するものとする。ここでは、２つの固定部材３，３を用いて収納ケース２を躯体側へ固定するようにしているが、３つ以上の固定部材を設けて収納ケース２を躯体側へ固定することによって、固定部材からの荷重を３つ以上の固定部材に分散させて収納ケース２を支持することができるから、より一層躯体側から収納ケース２が外れることを確実に阻止することができる利点がある。
【００１３】
前記スクリーン１は、前記収納ケース２内に回転自在に設けられた巻取ロール４に巻き取られた収納姿勢（図２参照）とそのスクリーン１の下端に取り付けられた取っ手５を下方へ引っ張り操作することにより引き出してプロジェクターなどからの映像を映し出し可能となる使用姿勢（図示せず）とに姿勢変更自在に構成されている。前記取っ手５は、スクリーン１の一端に取り付けられてスクリーン１の巻き取り位置を規制するためのバー５Ｂの左右方向ほぼ中央の下端に固定されている。
【００１４】
図５及び図６に示すように、前記固定部材３は、壁面からほぼ水平方向に延びる水平部６とこの水平部６の壁面側の基端部から壁面とほぼ平行な状態で下方に延びる垂直部７とからなる側面視においてほぼ逆Ｌ字形状からなり、強度面から金属材料で構成する方が好ましいが、場合によっては合成樹脂あるいは木などで作製してもよい。前記固定部材３の水平部６を構成する上端板部６Ａに大きさの異なる大小２つずつのボルト挿通孔６ａ，６ａ、６ｂ，６ｂを形成し、又、固定部材３の垂直部７を構成する背板部７Ａの上下２箇所にボルト挿通孔７ａ，７ｂを形成して、天井面及び壁面の両方に又はいずれか一方にボルトにて固定部材３を固定することができるようにしている。
【００１５】
前記収納ケース２は、図２、図３、図５及び図６に示すように、前記巻取ロール４を回転自在に取り付け支持すると共に固定部材３とほぼ同一形状のほぼＬ字形状のケース本体８と、このケース本体８の前方を覆うための側面視においてほぼ半円弧形状のカバー部材９とからなり、強度面から金属材料で構成する方が好ましいが、場合によっては合成樹脂あるいは木などで作製してもよい。
【００１６】
図３及び図５に示すように、前記固定部材３を構成する水平部６の前側の垂直端面に、前記収納ケース２のケース本体８を構成する水平部１０の前端から上方へ突出してから水平方向後方へ延びる水平片部１０Ａを水平方向から係止保持可能な保持部としての凹部６Ｂを備えさせ、収納ケース２を構成する水平部１０の基端部の上端部分から後方に突出してから下方に延びる垂直片部１２と収納ケース２を構成する垂直部１１との間に下方から入り込んで垂直片部１２を下方から受け止める受け止め部を有すると共に固定部材３から離間する側への収納ケース２の移動を接当阻止するための係止部材１３を固定部材３に上方へ移動付勢した状態で設けている。
【００１７】
前記係止部材１３が、合成樹脂からなり、上端に垂直片部１２と収納ケース２の垂直部１１との間に下方から係止して該垂直片部１２を下方から受け止める受け止め部を有すると共に固定部材３から離間する側への収納ケース２の移動を接当阻止する係止部１４Ａを備えた本体１４の下端に、固定部材３の底板部３Ｓに上方から接当して本体１４を上方に移動付勢するための波形状のバネ部１５及び固定部材３に形成の孔３Ｋから外部へ突出して本体１４を下方へ強制的に移動操作するための操作部１６を併設している。そして、図２及び図５に示すように、前記係止部材１３は、垂直部７の横側壁部に形成の上下方向の長孔７Ｋを介して２個のビス３２，３２にて上下動自在で、かつ、バネ部１５にて上方へ移動付勢された状態で固定部材３に取り付けられている。
【００１８】
前記収納ケース２を構成するケース本体８の垂直部１１の下部に後方に突出して下方に延びる補助用垂直片部１７を備え、この補助用垂直片部１７とケース本体８の垂直部１１との間に入り込んでケース本体８が固定部材３から離間する側へ接当阻止するためのストッパー部材１８を固定部材３の底板部３Ｓに複数のボルト３１を介して固定及び固定解除自在に設けている。前記ストッパー部材１８は、前記補助用垂直片部１７とケース本体８の垂直部１１との間に入り込む縦板部１８Ａと、この縦板部１８Ａの下端から水平方向壁面側に延びる水平板部１８Ｂとからなり、この水平板部１８Ｂにボルト挿通孔１８ｂ，１８ｂを形成している。尚、前記垂直部１１は、ケース本体８の上端と下端の２箇所に配置され、それら２つの垂直部１１，１１が後述する固定面８Ｓを形成する傾斜板部１１Ａにて連結されている。
【００１９】
前記収納ケース２を例えば、図２に示すように、天井面と壁面との角部に取り付ける場合には、その角部に複数（ここでは２個であるが、３個以上であってもよい）の固定部材３，３を所定間隔を置いた状態で配置し、図示していないボルトを用いて壁の裏面にある柱や天井裏のチャンネル部材などに固定する。次に、収納ケース２を固定部材３，３にそれに備えさせている係止部材１３，１３にて係止させて仮止めした後、ストッパー部材１８を固定部材３の底板部３Ｓに複数のボルト３１を介して固定している。尚、前記ストッパー部材１８にて収納ケース２を固定部材３，３に完全に固定するまでは、係止部材１３の操作部１６を下方へ引っ張り操作することにより係止を解除してから、固定部材３，３に対して収納ケース２を再度係止することで、収納ケース２に対する固定部材３，３の位置、つまり収納ケース２に対する固定部材３，３の巻取ロール４の回転軸芯方向Ｙ（図１参照）における位置を調節することができる。
【００２０】
前記ケース本体８の前端に後方側ほど上方に位置する円弧状の凹部１９を形成し、この凹部１９に係止する上向きでほぼ半円弧状の係止部２０をカバー部材９の上方後端部に備えさせ、前記凹部１９を形成する上下一対の突出片のうちの下側の突出片２１を前方に延出させてから上方に延出させた延出部に構成することによって、その延出部２１の上端（先端）にカバー部材９の上方側で後方側部分を下方から受け止めて支持することができるようになっている。従って、図３に示すように、２点鎖線で示す位置までカバー部材９をそれの下方を持って上方へ揺動操作することによって、係止部２０を凹部１９から係止解除することができ、その係止解除後において前方側へカバー部材９を移動させることによって、カバー部材９をケース本体８から取り外すことができるようになっている。前記固定部材３，３を天井面と壁面とに跨った状態で取り付けた場合に、前記のように係止部２０が凹部１９から係止解除可能となる位置までカバー部材９を上方側へ揺動操作可能となるように固定部材３の上下寸法Ｌを設定することによって、固定部材３，３から収納ケース２を取り外さなくても、カバー部材９を取り外すことができるようにしている。
【００２１】
前記巻取ロール４の両端に備えさせた大きさの異なる（同一でもよい）の固定側の（回転しない）支軸４Ａは、前記ケース本体８に着脱自在に取り付けられたブラケット２２，２２に貫通支持されている。前記ブラケット２２，２２は、前記支軸４Ａを貫通保持する板状のブラケット本体２２Ａと、このブラケット本体２２Ａの後端部をほぼ９０度折り曲げて前記ケース本体８に固定するためのフランジ部２２Ｂとからなっている。そして、前記フランジ部２２Ｂを固定するための前記ケース本体８の固定面８Ｓが上側ほど前方に位置する前倒れ傾斜面に構成され、前記ブラケット２２，２２をケース本体８に固定するだけで、各ブラケット２２がそれの前端部側ほど下方に位置する傾斜姿勢になるように構成されている。このようにブラケット２２をケース本体８に傾斜姿勢で取り付けることによって、図７及び図８（図８の方が図７よりも更に大型のものである）に示すように、大型のスクリーン１（巻取ロール４）を取り付けることができるようになっている。つまり、固定部材３，３、ケース本体８、ブラケット２２，２２を共通部材として用いることができながらも、カバー部材９を大型のものに取り替えるだけで、大型のスクリーン１（巻取ロール４）を取り付けることができるのである。ここでは、両端に備えさせた２つのブラケット２２，２２ともケース本体８に対して着脱可能に構成したが、一方のブラケット２２のみ取り外し可能に構成してもよい。
【００２２】
前記ケース本体８に前記フランジ部２２Ｂを前記巻取ロール４の回転軸芯方向でスライド自在に係止保持するための上下一対の係止保持部８ａ，８ｂを設け、前記係止保持部８ａ，８ｂにて前記フランジ部２２Ｂを係止保持させた状態で該フランジ部２２Ｂに形成の貫通孔２２Ｋを貫通させた螺子体であるボルト２３の先端を前記固定面８Ｓよりも後方へ逃がすと共に該先端に螺合させるためのナット２４を収納可能とするための凹部８Ｘを前記ケース本体８に形成している。
【００２３】
図４及び図６に示すように、前記収納ケース２の両端のそれぞれに、端部開口部を覆うためのキャップ２５を複数のビス２６を用いて固定しているが、キャップ２５を収納ケース２に外嵌により固定する構成であってもよい。
【００２４】
前記収納ケース２から巻取ロール４を取り外して点検したり、別の巻取ロールに取り替えることができる構成について説明すれば、まず、両端のキャップ２５，２５を取り外すと共にカバー部材９を取り外してから、一方のブラケット２２をケース本体８から取り外す。続いて、巻取ロール４を左右方向のうちのブラケット２２を外した側に移動させて、他方のブラケット２２から巻取ロール４の支軸４Ａを抜き取って巻取ロール４を取り外すのである。尚、前記巻取ロール４を左右方向のうちのブラケット２２を外した側に移動させることができない場合には、両方のブラケット２２，２２を取り外すことになる。尚、取り外した巻取ロール４を再度取り付ける、又は別の巻取ロールを取り付ける場合には、ブラケット２２，２２に巻取ロールの支軸４Ａ，４Ａを挿通させてから、ブラケット２２，２２をケース本体８にボルト２３とナット２４を用いて固定した後、両端のキャップ２５，２５を取り付けると共にカバー部材９を取り付けて作業を終了することになる。
【００２５】
前記ブラケット２２，２２における巻取ロール４の支軸４Ａの貫通孔２２Ｃを、図９及び図１０に示すように、斜め上方に開口する切欠きに構成し、その切欠き２２Ｃに巻取ロール４の支軸４Ａを固定するためのロック部材２７又は２８を固定解除自在に設けることによって、ブラケット２２，２２を取り外すことなく、巻取ロール４を容易迅速に取り外すことができる利点がある。図９のロック部材２７は、ブラケット２２に水平軸芯Ｘ周りで揺動自在に取り付け、そのロック部材２７の先端をブラケット２２に係止及び係止解除自在に設けている。又、図１０のロック部材２８は、巻取ロール４の支軸４Ａを貫通する貫通孔２８Ａを備えた板部材からなり、その板部材２８をブラケット２２にビス３０を用いて固定及び固定解除自在に設けている。
【産業上の利用可能性】
【００２６】
本発明のスクリーンの取付構造は、取っ手５を下方へ引き下げて収納姿勢のスクリーン１を使用姿勢に姿勢変更するものに適応することができる他、電動モータの電動力を用いて巻取ロールを回転させることにより、スクリーン１を収納姿勢と使用姿勢とに姿勢変更することができるものにも適応することができる。収納ケースの具体的構成及び形状は、図に示されるものに限定されるものではなく、各種自由に変更可能である。
【図面の簡単な説明】
【００２７】
【図１】映写スクリーンの斜視図である。
【図２】天井面と壁面とに跨った状態で取り付けられた映写スクリーンの側面図である。
【図３】天井面と壁面とに跨った状態で取り付けられた映写スクリーンの縦断側面図である。
【図４】映写スクリーンの一部省略した縦断正面図である。
【図５】映写スクリーンの一端側の分解斜視図である。
【図６】キャップを取り付ける直前の映写スクリーンの一端側の斜視図である。
【図７】図２で示したスクリーンよりも大きなスクリーンを収納した大型の映写スクリーンの縦断側面図である。
【図８】図７で示したスクリーンよりも大きなスクリーンを収納した大型の映写スクリーンの縦断側面図である。
【図９】別のブラケットにて巻取ロールを支持した状態の映写スクリーンの縦断側面図である。
【図１０】別のブラケットにて巻取ロールを支持した状態の映写スクリーンの縦断側面図である。
【符号の説明】
【００２８】
１  スクリーン
２  収納ケース
３  固定部材
３Ｋ  孔
３Ｓ  底板部
４  巻取ロール
４Ａ  支軸
５  取っ手
５Ｂ  バー
６Ｂ  凹部
６Ａ  上端板部
６  水平部
６ａ  ボルト挿通孔
７  垂直部
７Ａ  背板部
７ａ，７ｂ  ボルト挿通孔
８  ケース本体
８Ｘ  凹部
８Ｓ  固定面
８ａ，８ｂ  係止保持部
９  カバー部材
１０  水平部
１１  垂直部
１１Ａ  水平片部
１２  垂直片部
１３  係止部材
１４Ａ  係止部
１４  本体
１５  バネ部
１６  操作部
１７  補助用垂直片部
１８  ストッパー部材
１８Ａ  縦板部
１８Ｂ  水平板部
１８ｂ  ボルト挿通孔
１９  ボルト
１９  凹部
２０  係止部
２１  突出片
２２Ｂ  フランジ部
２２  ブラケット
２２Ａ  ブラケット本体
２２Ｋ  貫通孔（切欠き）
２３  ボルト
２４  ナット
２５  キャップ
２６  ビス
２７，２８  ロック部材
２８Ａ  貫通孔
２９  延出部
３０  ビス
３１  ボルト
【図１】
2005091762.tif 000003
【図２】
2005091762.tif 000004
【図３】
2005091762.tif 000005
【図４】
2005091762.tif 000006
【図５】
2005091762.tif 000007
【図６】
2005091762.tif 000008
【図７】
2005091762.tif 000009
【図８】
2005091762.tif 000010
【図９】
2005091762.tif 000011
【図１０】
2005091762.tif 000012